(57)【要約】【課題】目的とする振込先情報を容易に入力することができる振込システムを提供する。【解決手段】顧客の口座を管理するホストコンピュータと、ホストコンピュータと専用回線を介して接続し、顧客の振込取引を受付ける現金自動預払機と、顧客が振込先情報を入力する顧客端末とを備えた振込システムにおいて、顧客端末に入力された振込先情報を受付けて登録する振込先登録サーバを設けると共に振込先登録サーバをホストコンピュータと顧客端末とに公衆網を介して接続し、振込先登録サーバが顧客端末から送信された振込先情報を登録するときに、登録番号を付与して登録し、現金自動預払機が振込取引を受付けたときに、登録番号により振込先情報を取得する。【選択図】        図１
2005242609.tif 000002
【特許請求の範囲】
【請求項１】
顧客の口座を管理するホストコンピュータと、該ホストコンピュータと通信回線を介して接続し、顧客の振込取引を受付ける現金自動預払機と、顧客が振込先情報を入力する顧客端末とを備えた振込システムにおいて、
前記顧客端末に入力された振込先情報を受付けて登録する振込先登録サーバを設けると共に、該振込先登録サーバを前記ホストコンピュータと顧客端末とに通信回線を介して接続し、前記振込先登録サーバが、前記顧客端末から送信された振込先情報を登録するときに、登録番号を付与して登録し、前記現金自動預払機が振込取引を受付けたときに、前記登録番号により振込先情報を取得することを特徴とする振込システム。
【請求項２】
請求項１において、
前記通信回線が、専用回線であることを特徴とする振込システム。
【請求項３】
請求項１において、
前記通信回線が、公衆網であることを特徴とする振込システム。
【請求項４】
請求項１において、
前記ホストコンピュータと現金自動預払機とを接続する通信回線が専用回線であり、前記ホストコンピュータと顧客端末と振込先登録サーバとを接続する通信回線が公衆網であることを特徴とする振込システム。
【請求項５】
請求項１から請求項３または請求項４において、
前記振込先情報が、振込先の金融機関等の名称と店舗名と口座種別と口座番号とを含むことを特徴とする振込システム。
【請求項６】
請求項５において、
前記振込先情報が、振込を依頼した依頼人の氏名と電話番号とを含むことを特徴とする振込システム。
【請求項７】
請求項５または請求項６において、
前記振込先情報が、振込金額を含むことを特徴とする振込システム。
【請求項８】
請求項１から請求項６または請求項７において、
前記振込先登録サーバが、前記登録番号による振込取引が行われたときに、該登録番号と該登録番号を付与した振込先情報とを削除することを特徴とする振込システム。
【発明の詳細な説明】
【技術分野】
【０００１】
本発明は、金融機関等において振込カードを持参しないで容易に振込取引を行うことができる振込システムに関する。
【背景技術】
【０００２】
従来の振込システムは、金融機関等のホストセンタに設置されたホストコンピュータと店舗に設置された現金自動預払機とを専用回線で接続し、顧客が自宅の電子メール装置で振込先情報を入力した電子メールを公衆網を介してホストコンピュータへ送信してホストコンピュータに顧客の口座番号が付加された振込先情報を登録しておき、顧客が現金自動預払機により振込取引を行うときに、現金自動預払機が顧客の取引カードから読取った口座番号によりホストコンピュータからその口座番号の振込先情報を全て取得して顧客操作部に表示し、顧客が選択した振込先情報により振込取引を行っている（例えば、特許文献１参照。）。
【特許文献１】特開平１１−８６０８３号公報（第２頁段落０００７−第３頁段落００１６、第１図）
【発明の開示】
【発明が解決しようとする課題】
【０００３】
しかしながら、上述した従来の技術においては、顧客が登録した振込先情報を全て表示して顧客に選択させるようにしているため、振込先情報を多数登録している顧客は多くの振込先情報の中から目的の振込先情報を探すのに手間取り、振込取引のため振込先情報の入力の操作時間が長くなって現金自動預払機の稼動効率が低下するという問題がある。
本発明は、上記の問題点を解決するためになされたもので、目的とする振込先情報を容易に入力することができる振込システムを提供することを目的とする。
【課題を解決するための手段】
【０００４】
本発明は、上記課題を解決するために、顧客の口座を管理するホストコンピュータと、該ホストコンピュータと専用回線を介して接続し、顧客の振込取引を受付ける現金自動預払機と、顧客が振込先情報を入力する顧客端末とを備えた振込システムにおいて、前記顧客端末に入力された振込先情報を受付けて登録する振込先登録サーバを設けると共に、該振込先登録サーバを前記ホストコンピュータと顧客端末とに公衆網を介して接続し、前記振込先登録サーバが、前記顧客端末から送信された振込先情報を登録するときに、登録番号を付与して登録し、前記現金自動預払機が振込取引を受付けたときに、前記登録番号により振込先情報を取得することを特徴とする。
【発明の効果】
【０００５】
これにより、本発明は、顧客が登録番号を入力すれば直ちに目的とする振込先情報を得ることができ、選択操作を不要にして顧客の現金自動預払機における振込先情報の入力操作を簡略にし、その操作時間を短縮することが可能になり、現金自動預払機の稼動効率を向上させることができるという効果が得られる。
【発明を実施するための最良の形態】
【０００６】
以下に、図面を参照して本発明による振込システムの実施例について説明する。
【実施例１】
【０００７】
図１は実施例１のシステム構成を示すブロック図、図２は実施例１の現金自動預払機を示す斜視図、図３は実施例１の現金自動預払機を示すブロック図、図４は実施例１のホストコンピュータを示すブロック図、図５は実施例１の振込先登録サーバを示すブロック図である。
図１において、１は現金自動預払機であり、銀行等の金融機関や郵政公社、コンビニエンスストア等（金融機関等という。）の営業店や郵便局等の店舗に設置され、顧客との間で現金の取引を自動で行う。
【０００８】
２は金融機関等のセンタに設置された上位装置としてのホストコンピュータであり、店舗に設置されている現金自動預払機１とセンタの通信制御装置３、通信回線としての専用回線４、店舗の通信制御装置５を経由して接続している。
６はパーソナルコンピュータ等の顧客端末であり、通信制御装置７を介してインターネット等の通信回線としての公衆網８と接続しており、顧客が自宅や会社、事務所等の金融機関等の店舗以外の場所から振込先情報の入力等を行うために使用する端末装置である。
【０００９】
９は振込先登録センタに設置された振込先登録サーバであり、通信制御装置１０を介して公衆網８と接続しており、公衆網８に接続する金融機関等のセンタの通信制御装置３を介してホストコンピュータ２と、顧客の通信制御装置７を介して顧客端末６と接続して相互にデータ通信可能に構成されている。
なお、振込先登録サーバ９の設置場所は、全国を束ねて１箇所に設置するようにしてもよく、都道府県毎、都市毎またはこれらを複数まとめた広域の地域毎に設置するようにしてもよい。つまり顧客の振込先情報を一括して管理するものであれば設置場所には限定されるものではない。
【００１０】
上記の通信制御装置３、５、１０は、設置されている建屋内に設けられた各機器と外部の専用回線４や公衆網８とをその通信言語変換機能により相互に通信可能に接続する制御装置であって、通信データの宛先等により送信経路等を制御する機能を有している。
図２、図３において、１１は現金自動預払機１のＡＴＭ制御部であり、現金自動預払機１の外部との通信を制御する通信部１２、店舗の通信制御装置５、専用回線４、センタの通信制御装置３を経由してホストコンピュータ２と接続しており、現金自動預払機１内の各部を制御して取引処理等を実行する。
【００１１】
１３はＡＴＭ記憶部であり、ＡＴＭ制御部１１が実行するプログラムやＡＴＭ制御部１１による処理結果等が格納される。
１４は顧客操作部であり、ＣＲＴやＬＣＤ等の表示画面とタッチパネル等の位置信号検出手段との組合せで構成されており、表示画面に取引種別選択画面や各種の入力画面、顧客の処置を促す画面等を表示する一方、位置信号検出手段により顧客からの入力を受付ける。
【００１２】
１５はカード取扱部であり、カード挿入排出口１５ａから挿入された顧客のキャッシュカード等の取引カードの磁気ストライプに記録されているカード情報を読み書きする機能を備えると共に取引内容等をレシートに印刷する機能を有している。
１６は通帳取扱部であり、通帳挿入排出口１６ａから挿入された顧客の通帳の磁気ストライプに記録されている通帳情報を読み書きする機能を有すると共に取引内容等を顧客の通帳に記帳する機能を有している。
【００１３】
１７はジャーナルプリンタ部であり、顧客が現金自動預払機１を用いて行った取引の取引履歴等を印刷して記録する機能を有している。
１８は紙幣入出金部であり、紙幣入出金口１８ａによって顧客が投入した紙幣を受入れ、これを鑑別および計数して収納し、顧客に支払う紙幣を紙幣入出金口１８ａから排出して顧客に引渡す機能を有している。
【００１４】
１９は硬貨入出金部であり、硬貨入出金口１９ａによって顧客が投入した硬貨を受入れ、これを鑑別および計数して収納し、顧客に支払う硬貨を硬貨入出金口１９ａから排出して顧客に引渡す機能を有している。
ホストコンピュータ２は、図４に示すようにホストコンピュータ２の動作を制御するホスト制御部２１、センタ内に設置された各機器や外部との相互の通信を制御する通信制御部２２、および顧客の口座の口座番号やその暗証番号、口座残高等の顧客情報を格納する顧客データ記憶部２３やホスト制御部２１が実行するプログラムを格納するプログラム記憶部２４等を備えたホスト記憶部２５等により構成され、顧客データ記憶部２３の顧客情報により顧客の口座を管理する。
【００１５】
振込先登録サーバ９は、図５に示すように振込先登録サーバ９の動作を制御するサーバ制御部３１、振込先登録センタ内に設置された各機器や外部との相互の通信を制御する通信制御部３２、および顧客の顧客端末から受付けた振込先情報を登録して格納する振込先情報記憶部３３やサーバ制御部３１が実行するプログラムを格納するプログラム記憶部３４等を備えたサーバ記憶部３５等により構成され、振込先情報記憶部３３に登録されている振込先情報により顧客の振込先情報を一括して管理する。
【００１６】
上述した構成の作用について説明する。
図６は本実施例の現金自動預払機の振込取引処理を示すフローチャートである。
本実施例では、顧客は顧客端末６を用いて振込先登録サーバ９に振込先情報を予め登録している。
すなわち、顧客は顧客端末６に表示された入力操作方法および振込先の金融機関等の名称とその店舗名、振込先の口座の口座種別や口座番号の表示欄、並びに入力した振込先の登録を依頼するための「登録」ボタンを表示した図７に示す振込先情報入力画面に振込先の金融機関等の名称として振込先の銀行名、店舗名として支店名および振込先の口座種別や口座番号を入力して「登録」ボタンを押下する。
【００１７】
「登録」ボタンの押下を認識した顧客端末６は、入力された振込先の銀行名、支店名、口座種別、口座番号を振込先情報として通信制御装置７、公衆網８、通信制御装置１０を介して振込先登録サーバ９へ送信すると共に、顧客にしばらくの間の待機を促す文言を表示した図８に示す待機依頼画面を表示して顧客にしばらくの間の待機を促す。
顧客端末６からの送信を通信制御部３２によって受信した振込先登録サーバ９のサーバ制御部３１は、振込先情報の銀行名を基にその金融機関等を特定し、特定した金融機関等（本実施例ではＡ銀行）のホストコンピュータ２へ振込先情報を添付した振込先確認依頼を通信制御部３２、通信制御装置１０、公衆網８、通信制御装置３を介して送信する。
【００１８】
これを通信制御部２２によって受信したホストコンピュータ２のホスト制御部２１は、振込先確認依頼の支店名、口座種別、口座番号を基にホスト記憶部２５の顧客データ記憶部２３の顧客情報を検索して該当する顧客の口座を確認し、これを確認通知として通信制御部２２、通信制御装置３、公衆網８、通信制御装置１０を介して振込先登録サーバ９へ送信する。
【００１９】
これを通信制御部３２によって受信したサーバ制御部３１は、登録番号を採番して振込先情報に登録番号を付与し、付与した登録番号に対応させて確認された振込先情報をサーバ記憶部３５の振込先情報記憶部３３に格納して登録すると共に、振込先情報の登録が終了した旨に登録番号を添付した振込先登録終了通知を通信制御装置１０、公衆網８、通信制御装置７を介して顧客端末６へ送信する。
【００２０】
振込先登録終了通知を受信した顧客端末６は、振込先情報の登録が終了した旨の文言と登録番号を表示した図９に示す登録番号通知画面を表示する。これにより顧客は、振込先情報が登録されたことを確認して登録番号を取得する。
以下に図６に示すフローチャートを用い、Ｓで示すステップに従って本実施例の現金自動預払機１による振込取引処理について説明する。
【００２１】
本実施例の現金自動預払機１のＡＴＭ記憶部１３には、通常の振込取引における振込先情報の入力時の処理に変更を加えた振込取引処理とその他の通常の取引処理とを実行するための「取引処理プログラム」が予め格納されている。
以下に説明する各実施例では、顧客が振込先の金融機関等であるＡ銀行の振込先の店舗以外のＡ銀行の店舗に設置されている現金自動預払機１より振込取引を行う場合を例に説明する。
【００２２】
現金自動預払機１が設置されている店舗の係員が始業時等に現金自動預払機１へ電源を投入すると、現金自動預払機１のＡＴＭ記憶部１３に格納されている「取引処理プログラム」が自動的に起動される。
Ｓ１、「取引処理プログラム」が起動すると、現金自動預払機１のＡＴＭ制御部１１はその顧客操作部１４の画面に取引種別選択画面を表示して待機する。
【００２３】
取引種別選択画面には、取引ボタンの押下を促す旨の文言と支払取引のための「支払」ボタン、入金取引のための「入金」ボタン、振込取引のための「振込」ボタン、口座残高を照会する残高照会取引のための「残高照会」ボタンおよび通帳に未記入の取引内容等を記帳する通帳記帳取引のための「通帳記帳」ボタン等の取引を選択するための取引ボタンが表示されている。
【００２４】
上記のようにして予め振込先情報を登録した顧客は、顧客操作部１４の画面から振込取引を選択し、タッチパネルによって「振込」ボタンを押下する。
Ｓ２、顧客の選択した取引をタッチパネルからの位置信号等により振込取引と認識した主制御部６は、顧客操作部１４の画面に支払方法の選択を促す旨の文言と取引カードによる支払を選択するための「カード振込」ボタン、現金による支払を選択するための「現金振込」ボタン等を表示した支払方法選択画面を表示して振込取引における支払方法の選択を促す。顧客は「カード振込」ボタンを押下して取引カードによる支払方法を選択する。
【００２５】
Ｓ３、取引カードによる支払方法が選択されたことを認識したＡＴＭ制御部１１は、顧客操作部１４の画面に取引カードの挿入を促す文言を表示したカード挿入依頼画面を表示して取引カードの挿入を促す。
顧客はこれに従って、顧客の取引カードをカード取扱部１５のカード挿入排出口１５ａに挿入する。
【００２６】
この時、ＡＴＭ制御部１１はカード取扱部１５によって、取引カードの磁気ストライプに記録されたカード情報を読取る。
Ｓ４、取引カードの挿入を検知したＡＴＭ制御部１１は、顧客操作部１４の画面に暗証番号の入力を促す旨の文言と暗証番号表示欄、暗証番号を入力するためのテンキー等を表示した暗証番号入力画面を表示し、顧客はテンキー等によって暗証番号を入力する。
【００２７】
Ｓ５、入力された暗証番号を認識したＡＴＭ制御部１１は、顧客操作部１４の画面に図１０に示す振込種別選択画面を表示する。
振込種別選択画面には、振込種別の選択を促す旨の文言と振込先情報を手動で入力するための「振込カードなし」ボタン、振込カードにより振込先情報を入力するための「振込カード取引」ボタン、登録した振込先情報を登録番号により入力するための「登録番号取引」ボタンが表示される。顧客は登録番号による振込先情報の入力を選択して「登録番号取引」ボタンを押下する。
【００２８】
Ｓ６、「登録番号取引」ボタンの押下を検知したＡＴＭ制御部１１は、顧客操作部１４の画面に図１１に示す登録番号入力画面を表示する。
登録番号入力画面には、登録番号の入力を促す旨の文言とその操作方法、登録番号表示欄、登録番号を入力するためのテンキーおよび入力の間違いを訂正するための「訂正」ボタン等が表示される。顧客はテンキー等によって顧客端末６により予め取得した登録番号を入力する。
【００２９】
Ｓ７、入力された登録番号を認識したＡＴＭ制御部１１は、振込先情報を取得するために登録番号を添付した振込先情報送信依頼を通信部１２、通信制御装置５、専用回線４、通信制御装置３を介してホストコンピュータ２へ送信する。
振込先情報送信依頼を通信制御部２２によって受信したホストコンピュータ２のホスト制御部２１は、振込先情報送信依頼の登録番号を公衆網８を介して振込先登録サーバ９へ送信する。
【００３０】
登録番号を受信した振込先登録サーバ９のサーバ制御部３１は、受信した登録番号を基にサーバ記憶部３５の振込先情報記憶部３３を検索し、該当する振込先情報を抽出してこれを公衆網８を介してホストコンピュータ２へ送信する。
登録番号により抽出された振込先情報を受信したホスト制御部２１は、振込先情報を添付した振込先通知を通信制御部２２、通信制御装置３、専用回線４、通信制御装置５を介して現金自動預払機１へ送信する。
【００３１】
Ｓ８、振込先通知を通信部１２によって受信した現金自動預払機１のＡＴＭ制御部１１は、顧客操作部１４の画面に取得した振込先情報等を表示した図１２に示す振込先情報確認画面を表示する。
振込先情報確認画面には、振込先情報の確認を促す旨の文言とその登録番号、振込先の銀行名と支店名および振込先の口座の口座種別と口座番号、並びに表示内容を確認して次のステップへ移行するための「振込金額入力」ボタン等が表示される。
【００３２】
顧客は表示された振込先情報を確認して「振込金額入力」ボタンを押下する。
Ｓ９、「振込金額入力」ボタンの押下を検知したＡＴＭ制御部１１は、顧客操作部１４の画面に図１３に示す振込金額入力画面を表示する。
振込金額入力画面には、振込金額の入力を促す旨の文言と振込金額表示欄、振込金額を入力するためのテンキー、金額の単位を入力するための「万」キー、「千」キー、「円」キーおよび入力の間違いを訂正するための「訂正」ボタンや入力終了を指示して次のステップへ移行するための「次へ」ボタン等が表示される。顧客はテンキー等によって振込金額を入力し「次へ」ボタンを押下する。
【００３３】
Ｓ１０、入力された振込金額を認識したＡＴＭ制御部１１は、顧客操作部１４の画面に図１４に示す依頼人情報入力画面を表示してその入力を促す。
依頼人情報入力画面には、依頼人情報の入力を促す旨の文言、依頼人の氏名表示欄と電話番号表示欄、これらを入力するためのテンキーやカナ文字キー、入力の間違いを訂正するための「訂正」ボタン、入力終了を指示して振込取引の交信処理へ移行するための「実行」ボタン等が表示される。
【００３４】
顧客はテンキーやカナ文字キー等によって依頼人としての顧客の氏名や電話番号を入力し「実行」ボタンを押下する。
Ｓ１１、入力された依頼人情報を認識したＡＴＭ制御部１１は、ホストコンピュータ２との間で振込取引の交信処理を実行する。
すなわち、ＡＴＭ制御部１１は、顧客操作部１４の画面にしばらくの間の待機を促す旨の文言を表示する一方、取引カードのカード情報に入力された暗証番号や振込金額、振込先情報、依頼人情報等を添付した振込取引電文を作成し、これを専用回線４を介してホストコンピュータ２へ送信する。
【００３５】
振込取引電文を受信したホストコンピュータ２は、振込取引電文に含まれるカード情報を基に顧客データ記憶部２３の顧客情報を検索し、該当する顧客情報の暗証番号と振込取引電文の暗証番号とを照合してその一致により顧客を認証する。そして顧客の口座から振込金額と振込手数料を引落して顧客の口座残高を更新し、振込先情報の金融機関等に対して振込金額に振込先情報と依頼人情報を添付した入金依頼を送信し、送信先の金融機関等からの振込先口座への振込金額の入金の終了通知を受信して振込金額の入金処理を終了する。
【００３６】
振込金額の入金を終えたホストコンピュータ２は、振込取引が終了した旨を振込取引終了通知電文として専用回線を介して現金自動預払機１へ送信する。
本実施例ではＡ銀行の他の店舗への振込取引であるので、ホストコンピュータ２は振込先情報の顧客の口座に依頼人の口座から引落した振込金額を入金し、振込先情報の顧客の口座を更新して振込金額の入金処理を終了する。
【００３７】
Ｓ１２、振込取引終了通知電文を受信したＡＴＭ制御部１１は、振込取引の交信処理の終了を認識して、振込取引の内容等をカード取扱部１５によってレシートに印刷する一方、顧客操作部１４の画面に取引カードやレシートの受取りを促す旨の文言等を表示したレシート等受取依頼画面を表示して取引カードとレシートをカード取扱部１５のカード挿入排出口１５ａから排出する。
【００３８】
その後、ＡＴＭ制御部１１は、顧客がこれらを受取ったことを確認してジャーナルプリンタ部１７により振込取引の取引履歴を印刷した後に振込取引処理を終了させてステップＳ１へ戻り、顧客操作部１４の画面に取引種別選択画面を表示して待機する。
なお、本実施例では振込先情報を予め登録した顧客が振込取引を行う場合を例に説明したが、顧客が登録した振込先情報の登録番号を他人に連絡し、その他人が振込取引を行うようにしてもよい。これにより同一の登録番号、つまり同一の振込先と振込取引を行う必要がある他人が複数存在する場合に振込先情報を登録するための手間を省くことができると共に、振込先登録サーバ９に重複した振込先情報の登録を行う必要がなくなり、振込先登録サーバ９の負荷や公衆網８の負荷を軽減することができる。
【００３９】
以上説明したように、本実施例では、ホストコンピュータと顧客端末とに公衆網を介して接続する振込先登録サーバに、顧客端末から送信された振込先情報を登録するときに登録番号を付与して登録し、現金自動預払機がこの登録番号により振込先情報を取得するようにしたことによって、顧客が登録番号を入力すれば直ちに目的とする振込先情報を得ることができ、選択操作を不要にして顧客の現金自動預払機における振込先情報の入力操作を簡略にし、その操作時間を短縮することが可能になり、現金自動預払機の稼動効率を向上させることができる。
【実施例２】
【００４０】
本実施例の振込システムのシステム構成、現金自動預払機、ホストコンピュータ、振込先登録サーバの構成は上記実施例１と同様である。
なお、上記実施例１と同様の部分は、同一の符号を付してその説明を省略する。
上記の構成の作用について説明する。
図１５は本実施例の現金自動預払機の振込取引処理を示すフローチャートである。
【００４１】
本実施例では、顧客が顧客端末６を用いて振込先登録サーバ９に予め登録する振込先情報の内容が異なっている。
すなわち、顧客が振込先情報を入力する時に顧客端末６に表示される振込先情報入力画面には、図７に示した実施例１の振込先情報入力画面の表示に加えて依頼人情報、つまり依頼人である顧客の氏名と電話番号の表示欄が表示された図１６に示す振込先情報入力画面が表示され、顧客は振込先の銀行名等の実施例１の入力に加えて依頼人としての顧客の氏名と電話番号を入力して「登録」ボタンを押下する。
【００４２】
その後の振込先情報の登録の作動および顧客の登録番号の取得の作動は上記実施例１と同様であるのでその説明を省略する。
以下に図１５に示すフローチャートを用い、ＳＡで示すステップに従って本実施例の現金自動預払機１による振込取引処理について説明する。
ステップＳＡ１〜ＳＡ７の作動は、実施例１のステップＳ１〜Ｓ７の作動と同様であるのでその説明を省略する。
【００４３】
ＳＡ８、振込先通知を受信したＡＴＭ制御部１１は、顧客操作部１４の画面に取得した振込先情報等を表示した図１７に示す振込先情報確認画面を表示する。
振込先情報確認画面には、図１２に示した実施例１の表示に加えて、依頼人である顧客の氏名および電話番号が表示される。
顧客は表示された振込先情報を確認して「振込金額入力」ボタンを押下する。
【００４４】
ＳＡ９、「振込金額入力」ボタンの押下を検知したＡＴＭ制御部１１は、顧客操作部１４の画面に図１８に示す振込金額入力画面を表示する。
振込金額入力画面には、既に依頼人情報が振込先情報に含まれているので、図１３に示した実施例１の「次へ」ボタンに替えて入力終了を指示して振込取引の交信処理へ移行するための「実行」ボタン等が表示される。顧客はテンキー等によって振込金額を入力し「実行」ボタンを押下する。
【００４５】
ＳＡ１０、入力された振込金額を認識したＡＴＭ制御部１１は、実施例１のステップＳ１１と同様にしてホストコンピュータ２との間で振込取引の交信処理を実行する。
その後のステップＳＡ１１以降の作動は、実施例１のステップＳ１２以降の作動と同様であるのでその説明を省略する。
なお、本実施例では振込先情報を予め登録した顧客が振込取引を行う場合を例に説明したが、振込先情報の登録を他人に依頼してその登録番号の連絡を受けた顧客が振込取引を行うようにしてもよい。これにより移動時間等の間に他人による登録番号の取得が可能になり、携帯電話等でその登録番号を知った顧客が振込取引を行うことが可能になる。このことは特に火急の振込取引を要する場合に有効である。
【００４６】
以上説明したように、本実施例では、実施例１と同様の効果に加えて、振込先情報に依頼人の氏名と電話番号を加えるようにしたことによって、振込取引における依頼人情報の入力を省略して顧客の振込先情報の入力操作時間を更に短縮することが可能になり、現金自動預払機の稼動効率を更に向上させることができる。
【実施例３】
【００４７】
本実施例の振込システムのシステム構成、現金自動預払機、ホストコンピュータ、振込先登録サーバの構成は上記実施例１と同様である。
なお、上記実施例１と同様の部分は、同一の符号を付してその説明を省略する。
上記の構成の作用について説明する。
図１９は本実施例の現金自動預払機の振込取引処理を示すフローチャートである。
【００４８】
本実施例では、顧客が顧客端末６を用いて振込先登録サーバ９に予め登録する振込先情報の内容が異なっている。
すなわち、顧客が振込先情報を入力する時に顧客端末６に表示される振込先情報入力画面には、図１６に示した実施例２の振込先情報入力画面の表示に加えて振込金額の表示欄が表示された図２０に示す振込先情報入力画面が表示され、顧客は振込先の銀行名や依頼人情報等の実施例２の入力に加えて振込金額を入力して「登録」ボタンを押下する。
【００４９】
その後の振込先情報の登録の作動および顧客の登録番号の取得の作動は上記実施例１と同様であるのでその説明を省略する。
以下に図１９に示すフローチャートを用い、ＳＢで示すステップに従って本実施例の現金自動預払機１による振込取引処理について説明する。
ステップＳＢ１〜ＳＢ７の作動は、実施例１のステップＳ１〜Ｓ７の作動と同様であるのでその説明を省略する。
【００５０】
ＳＢ８、振込先通知を受信したＡＴＭ制御部１１は、顧客操作部１４の画面に取得した振込先情報等を表示した図２１に示す振込先情報確認画面を表示する。
振込先情報確認画面には、図１７に示した実施例２の表示に加えて、振込金額が表示され、既に振込金額が振込先情報に含まれているので、図１７に示した実施例１の「振込金額入力」ボタンに替えて入力終了を指示して振込取引の交信処理へ移行するための「実行」ボタン等が表示される。顧客は表示された振込先情報を確認して「実行」ボタンを押下する。
【００５１】
ＳＢ９、「実行」ボタンの押下を検知したＡＴＭ制御部１１は、実施例１のステップＳ１１と同様にしてホストコンピュータ２との間で振込取引の交信処理を実行する。
その後のステップＳＢ１０以降の作動は、実施例１のステップＳ１２以降の作動と同様であるのでその説明を省略する。
なお、本実施例においても実施例２と同様に移動時間等の間に他人による登録番号の取得を依頼して顧客が振込取引を行うことが可能になる。このことは特に火急の振込取引を要する場合に有効である。
【００５２】
また、本実施例の振込金額を実施例１の振込先情報に含めるようにすれば、同一の登録番号により、同一の振込先に同一の振込金額を振込む振込取引を行う必要がある他人が複数存在する場合に振込先情報を登録するための手間を省くことができると共に、振込先登録サーバ９に重複した振込先情報の登録を行う必要がなくなり、振込先登録サーバ９の負荷や公衆網８の負荷を軽減することができる。
【００５３】
以上説明したように、本実施例では、実施例１および実施例２の効果に加えて、振込先情報に振込金額を加えるようにしたことによって、振込取引における振込金額の入力を省略して顧客の振込先情報の入力操作時間を一層に短縮することが可能になり、現金自動預払機の稼動効率を一層向上させることができる。
【実施例４】
【００５４】
本実施例の振込システムのシステム構成、現金自動預払機、ホストコンピュータ、振込先登録サーバの構成は上記実施例１と同様である。
なお、上記実施例１と同様の部分は、同一の符号を付してその説明を省略する。
上記の構成の作用について説明する。
図２２は本実施例の現金自動預払機の振込取引処理を示すフローチャートである。
【００５５】
本実施例の振込先情報の登録の作動および顧客の登録番号の取得の作動は上記実施例１と同様であるのでその説明を省略する。
この場合に、本実施例の振込先登録サーバ９のサーバ制御部３１は、振込先情報に登録番号を付与するときに振込先情報記憶部３３を検索して未使用の登録番号を抽出し、その登録番号を登録する振込先情報に付与する。
【００５６】
以下に図２２に示すフローチャートを用い、ＳＣで示すステップに従って本実施例の現金自動預払機１による振込取引処理について説明する。
本実施例の現金自動預払機１のＡＴＭ記憶部１３には、実施例１の「取引処理プログラム」に振込先情報の削除処理を加えた「取引処理プログラム」が予め格納されている。
ステップＳＣ１〜ＳＣ１２の作動は、実施例１のステップＳ１〜Ｓ１２の作動と同様であるのでその説明を省略する。
【００５７】
ＳＣ１３、顧客のレシート等の受取を確認したＡＴＭ制御部１１は、振込取引処理の終了を認識し、その旨に登録番号を添付した振込取引処理終了通知を専用回線４を介してホストコンピュータ２へ送信すると共にジャーナルプリンタ部１７により振込取引の取引履歴を印刷し、振込取引処理を終了させてステップＳ１へ戻り、顧客操作部１４の画面に取引種別選択画面を表示して待機する。
【００５８】
一方、振込取引処理終了通知を受信したホストコンピュータ２のホスト制御部２１は、登録番号を用いて行われた振込取引が終了した旨に振込取引終了通知の登録番号を添付した振込先情報削除依頼を公衆網８を介して振込先登録サーバ９へ送信し、振込先情報削除依頼を受信した振込先登録サーバ９のサーバ制御部３１は、振込先削除依頼の登録番号とその登録番号を付与した振込先情報を振込先情報記憶部３３から削除する。
【００５９】
このようにして、使用済みの登録番号とその振込先情報の登録が１回毎に抹消される。
なお、本実施例では、実施例１に本実施例の振込先情報の削除処理を適用した場合を例に説明したが、上記実施例２および実施例３の場合も同様である。
以上説明したように、本実施例では、上記実施例１と同様の効果に加えて、顧客が登録した振込情報に登録番号を付与し、この登録番号を用いて振込取引が行われたときに登録番号とその登録番号を付与した振込先情報を削除するようにしたことによって、新たな振込先情報の登録の際に登録番号を再使用することができ、登録番号の桁数を抑制することが可能になり、顧客の登録番号の入力時間を短縮して顧客の振込先情報の入力操作時間を更に短縮することができ、現金自動預払機の稼動効率を更に向上させることができると共に振込先登録サーバの記憶容量の削減を図ることができる。
【００６０】
また、登録番号を用いた振込取引が行われたときに１回毎にその登録番号とその登録番号を付与した振込先情報を削除するようにしたことによって、振込先情報の漏洩を防止することができ、顧客が振込先情報を登録してその登録番号により他人に現金自動預払機による振込取引を依頼することが可能になる。
なお、本実施例では１回毎に登録番号とその振込先情報を削除するとして説明したが、上記ステップＳＣ１２においてレシート等受取依頼画面を表示するときに、登録した振込情報の削除の要否を顧客に問合せるようにしてもよい。
【００６１】
これにより、顧客は不要な振込先情報を削除することができ、利用頻度の高い振込先情報のみを登録しておくことが可能になり、顧客の利便性の向上を図ることができると共に振込先登録サーバの記憶容量の削減を図ることができる。
上記各実施例においては、顧客が振込先のＡ銀行の振込先の店舗以外のＡ銀行の店舗に設置されている現金自動預払機１より振込取引を行う場合を例に説明したが、振込先の口座を管理するＡ銀行とは別の金融機関等の現金自動預払機１を用いて顧客が振込取引を行った場合においても上記と同様にして本発明を適用すれば上記各実施例と同様の効果を奏することができる。
【００６２】
この場合に、Ａ銀行とは別の金融機関等のホストコンピュータは、上記ステップＳ７と同様にして公衆網を介して振込先登録サーバから９から登録番号に該当する振込先情報をの送信を受け、振込先通知を現金自動預払機へ送信するとよい。
また、上記各実施例においては、ホストコンピュータと現金自動預払機とを接続する通信回線は専用回線であり、ホストコンピュータと顧客端末、振込先登録サーバを接続する通信回線は公衆網であって、別に設けられた通信回線として説明したが、これらを同一の通信回線によりこれらを接続するようにしてもよい。つまり専用回線によりホストコンピュータと現金自動預払機、顧客端末、振込先登録サーバを接続するようにしてもよく、公衆網によりこれらを接続するようにしてもよい。
【図面の簡単な説明】
【００６３】
【図１】実施例１のシステム構成を示すブロック図
【図２】実施例１の現金自動預払機を示す斜視図
【図３】実施例１の現金自動預払機を示すブロック図
【図４】実施例１のホストコンピュータを示すブロック図
【図５】実施例１の振込先登録サーバを示すブロック図
【図６】実施例１の振込取引処理を示すフローチャート
【図７】実施例１の振込先情報入力画面表示例
【図８】実施例１の待機依頼画面表示例
【図９】実施例１の登録番号通知画面表示例
【図１０】実施例１の振込種別選択画面表示例
【図１１】実施例１の登録番号入力画面表示例
【図１２】実施例１の振込先情報確認画面表示例
【図１３】実施例１の振込金額入力画面表示例
【図１４】実施例１の依頼人情報入力画面表示例
【図１５】実施例２の振込取引処理を示すフローチャート
【図１６】実施例２の振込先情報入力画面表示例
【図１７】実施例２の振込先情報確認画面表示例
【図１８】実施例２の振込金額入力画面表示例
【図１９】実施例３の振込取引処理を示すフローチャート
【図２０】実施例３の振込先情報入力画面表示例
【図２１】実施例３の振込先情報確認画面表示例
【図２２】実施例４の振込取引処理を示すフローチャート
【符号の説明】
【００６４】
１    現金自動預払機
２    ホストコンピュータ
３、５、７、１０  通信制御装置
４    専用回線
６    顧客端末
８    公衆網
９    振込先登録サーバ
１１  ＡＴＭ制御部
１２  通信部
１３  ＡＴＭ記憶部
１４  顧客操作部
１５  カード取扱部
１５ａ  カード挿入排出口
１６  通帳取扱部
１６ａ  通帳挿入排出口
１７  ジャーナルプリンタ部
１８  紙幣入出金部
１８ａ  紙幣入出金口
１９  硬貨入出金部
１９ａ  硬貨入出金口
２１  ホスト制御部
２２  通信制御部
２３  顧客データ記憶部
２４  プログラム記憶部
２５  ホスト記憶部
３１  サーバ制御部
３２  通信制御部
３３  振込先情報記憶部
３４  プログラム記憶部
３５  サーバ記憶部
【図１】
2005242609.tif 000003
【図２】
2005242609.tif 000004
【図３】
2005242609.tif 000005
【図４】
2005242609.tif 000006
【図５】
2005242609.tif 000007
【図６】
2005242609.tif 000008
【図７】
2005242609.tif 000009
【図８】
2005242609.tif 000010
【図９】
2005242609.tif 000011
【図１０】
2005242609.tif 000012
【図１１】
2005242609.tif 000013
【図１２】
2005242609.tif 000014
【図１３】
2005242609.tif 000015
【図１４】
2005242609.tif 000016
【図１５】
2005242609.tif 000017
【図１６】
2005242609.tif 000018
【図１７】
2005242609.tif 000019
【図１８】
2005242609.tif 000020
【図１９】
2005242609.tif 000021
【図２０】
2005242609.tif 000022
【図２１】
2005242609.tif 000023
【図２２】
2005242609.tif 000024